(57)【要約】【課題】  一枚のダンボール板から作られる手提げ箱兼用ダンボール箱であって、ダンボール箱を必要に応じて手提げ箱として使用できるようにした。【解決手段】  一枚のダンボール板よりなり、底板１，７、前側板２、後側板３、左、右側板４，５および前、後蓋板８，９を有して箱状に組み立てられ、前、後蓋板８，９は、相互に重なり合ってダンボール箱の２重蓋板を形成し、また、それらの蓋板８，９の一部同士が相互に重なり合って手提げ箱のグリップ（Ｇ）を形成する。【選択図】図４
0003141026.tif 000002
【実用新案登録請求の範囲】
【請求項１】
一枚のダンボール板（Ｐ）よりなり、底板（１，７）、前側板（２）、後側板（３）、左、右側板（４，５）および蓋板（８，９）を有して箱状に組み立てられる手提げ箱兼用ダンボール箱であって、
前記蓋板（８，９）は、前側板（２）に接続される前蓋板（８）と、後側板（３）に接続される後蓋板（９）とよりなり、それらの蓋板（８，９）は、相互に重なり合ってダンボール箱（Ａ１）の２重蓋板を形成し、また、それらの蓋板（８，９）の一部同士が相互に重なり合って手提げ箱（Ａ２）のグリップ（Ｇ）を形成するようにしたことを特徴とする、手提げ箱兼用ダンボール箱。
【請求項２】
前記グリップ（Ｇ）には、開閉片（１６）により開閉される手提げ孔（１５）が設けられていることを特徴とする、前記請求項１記載の手提げ箱兼用ダンボール箱。
【請求項３】
前記底板（１，７）および前記左、右側板（４，５）はいずれも２重構造であることを特徴とする、前記請求項１または２記載の手提げ箱兼用ダンボール箱。
【請求項４】
一枚のダンボール板（Ｐ）の折り曲げにより作られる手提げ箱兼用ダンボール箱であって、
底板（１）と、
前記底板（１）の前、後辺に接続される前側板（２）および後側板（３）と、
前記前側板（２）の左、右辺に接続される左、右内側板（４，４）と、
前記後側板（３）の左、右辺に接続される左、右外側板（５，５）と、
前記左、右外側板（５，５）の前辺に接続される、左、右内底板（７，７）と、
前記前側板（２）の前辺および後側板（３）の後辺にそれぞれ接続される前、後蓋板（８，９）とを備え、
前記前、後蓋板（８，９）は、それらの中間部に、前記前側板（２）および後側板（３）との接続線と平行な折り線（１７，１７）を入れて、その前後に、外側半部（８ａ，９ａ）と内側半部（８ｂ，９ｂ）とを形成し、前記外側半部（８ａ，９ａ）に、手提げ孔（１５，１５）を開口し、
左、右外側板（５，５）は後側板（３）に対して直角に折り曲げられると共に、左、右内底板（７，７）は左、右外側板（５，５）に対して直角に折り曲げられ、
後側板（３）は底板（１）に対して直角に折り曲げられて前記左、右内底板（７，７）は底板（１）上に重ね合わされ、
前記左、右内側板（４，４）は前側板（２）に対して直角に折り曲げられ、
前記前側板（２）は底板（１）に対して直角に折り曲げられて前記左、右内側板（４，４）は、前記左、右外側板（５，５）の内側に重ね合わされ、
前記前、後蓋板（８，９）は、前、後側板（２，３）に対してそれぞれ直角に折り曲げ重ね合わされてダンボール箱（Ａ１）の２重蓋板を形成し、また、前記前、後蓋板（８，９）は、前、後側板（２，３）に対して直角未満に折り曲げると共に前記折り線（１７，１７）に沿って折り曲げて相互に重なり合う外側半部（８ａ，９ａ）により手提げ箱（Ａ２）のグリップ（Ｇ）を形成してなることを特徴とする、手提げ箱兼用ダンボール箱。
【考案の詳細な説明】
【技術分野】
【０００１】
本考案は、組立、解体が簡単、容易であり、物の出し入れがし易く、かつ十分な強度を保有するダンボールを必要に応じて手提げ箱として使用できるようにした、手提げ箱兼用ダンボール箱に関する。
【背景技術】
【０００２】
従来、ダンボール板より、接続手段を一切使用することなく、簡単容易に組み立てることができ、しかも組立、解体が容易であり、かつ底板および左右側板を２重構造とした十分な強度をもたせた組立式ダンボール箱は、後記特許文献１により公知である。
【特許文献１】登録実用新案第３１３３６６８号公報
【考案の開示】
【考案が解決しようとする課題】
【０００３】
ところが、前記従来のダンボール箱は、設置面上の置いて、物を収納する収納箱として利用されるものの、人が手、特に片手で持ち運びできるようなグリップを有していないため、手提げ箱として利用することができなかった。
【０００４】
本考案はかかる実情に鑑みてなされたもので、ダンボール箱を手提げ箱に簡単に変更できるようにした、新規な手提げ箱兼用ダンボール箱を提供することを目的とする。
【課題を解決するための手段】
【０００５】
前記目的を達成するために、請求項１記載の考案は、一枚のダンボール板よりなり、底板、前側板、後側板、左、右側板および蓋板を有して箱状に組み立てられる手提げ箱兼用ダンボール箱であって、
前記蓋板は、前側板に接続される前蓋板と、後側板に接続される後蓋板とよりなり、それらの蓋板は、相互に重なり合ってダンボール箱の２重蓋板を形成し、また、それらの蓋板の一部同士が相互に重なり合って手提げ箱のグリップを形成するようにしたことを特徴としている。
【０００６】
また、前記目的を達成するために、請求項２記載の考案は、前記請求項１記載のものにおいて、前記グリップには、開閉片により開閉される手提げ孔が設けられていることを特徴としている。
【０００７】
さらに、前記目的を達成するために、請求項３記載の考案は、前記請求項１または２記載のものにおいて、前記底板および前記左、右側板はいずれも２重構造であることを特徴としている。
【０００８】
さらにまた、前記目的を達成するために、請求項４記載の考案は、一枚のダンボール板の折り曲げにより作られる手提げ箱兼用ダンボール箱であって、
底板と、前記底板の前、後辺に接続される前側板および後側板と、前記前側板の左、右辺に接続される左、右内側板と、前記後側板の左、右辺に接続される左、右外側板と、前記左、右外側板の前辺に接続される、左、右内底板と、前記前側板の前辺および後側板の後辺にそれぞれ接続される前、後蓋板とを備え、
前記前、後蓋板は、それらの中間部に、前記前側板および後側板との接続線と平行な折り線を入れて、その前後に、外側半部と内側半部とを形成し、前記外側半部に、手提げ孔を開口し、左、右外側板は後側板に対して直角に折り曲げられると共に、左、右内底板は左、右外側板に対して直角に折り曲げられ、後側板は底板に対して直角に折り曲げられて前記左、右内底板は底板上に重ね合わされ、前記左、右内側板は前側板に対して直角に折り曲げられ、前記前側板は底板に対して直角に折り曲げられて前記左、右内側板は、前記左、右外側板の内側に重ね合わされ、前記前、後蓋板は、前、後側板に対してそれぞれ直角に折り曲げ重ね合わされてダンボール箱の２重蓋板を形成し、また、前記前、後蓋板は、前、後側板に対して直角未満に折り曲げると共に前記折り線に沿って折り曲げて相互に重なり合う外側半部により手提げ箱のグリップを形成してなることを特徴としている。
【考案の効果】
【０００９】
請求項各項記載の考案によれば、ダンボール箱を、必要に応じて片手で持ち運びのでき手提げ箱として使用することができる。
【００１０】
また、請求項２記載の考案によれば、グリップに手提げ孔が設けられるので、手提げ箱の手提げ操作が一層しやすい。
【００１１】
さらに、請求項３記載の発明によれば、手提げ箱兼用ダンボール箱の強度を高めることができる。
【００１２】
さらにまた、請求項４記載の発明によれば、一枚のダンボール板より、テープ、接着剤、ファスナなどの接続手段を一切使用することなく、きわめて簡単容易に組み立てることができ、しかも組立、解体が容易であり、さらに解体によって素材を傷つけたり、損傷したりすることがないので、再利用が可能である。また、組み立て後に底板に切目ができることがなく、その切目を封緘するためのテープなどの止め手段が不要である。また、強度の要求される底板、左、右側板および蓋板をいずれも２重構造とすることができるので、組立の容易性と、材料の節減を図りながら、所望の強度をもつ手提げ箱兼用ダンボール箱を提供することができる。また、手提げ箱として使用するとき、前、後蓋板の外側半部はグリップとなるほかその内側半部はクッション作用をして、手提げ箱の持ち上げや、下ろしをショック少なく緩徐に行うことができる。
【考案を実施するための最良の形態】
【００１３】
本考案の実施の形態を、添付図面に例示した本考案の実施例に基づいて以下に具体的に説明する。
【００１４】
図１は、ダンボール箱の組み立て完了状態の一部破断斜視図、図２は、図１の２−２線に沿う断面図、図３は、図１の３−３線に沿う断面図、図４は、ダンボール箱を手提げ箱としたときの一部破断斜視図、図５は、図４の５−５線に沿う断面図、図６は、図４の６−６線に沿う断面図、図７は、手提げ箱兼用ダンボール箱の展開平面図、図８〜１０は、ダンボール箱の組立手順を示す斜視図、図１１は、手提げ箱の組立過程を示す斜視図である。
【００１５】
本考案にかかる手提げ箱兼用ダンボール箱は、一枚のダンボール板Ｐにより構成され、テープ、ファスナ、接着剤などの接続手段を用いることなく、図１に示すように、開閉可能な蓋板を有して直方体状に組み立てられ、底板、左、右側板および蓋板がいずれも二重構造で十分の強度を保有するダンボール箱Ａ１として利用できる外、図４に示すように、蓋板を手提げ用グリップとして手提げ箱Ａ２として利用できる。
【００１６】
手提げ箱兼用ダンボール箱を形成するダンボール板Ｐは、一枚のダンボール原紙を所定の形状に裁断して形成される。
【００１７】
図７には、ダンボール板Ｐを一平面の展開した状態が示されており、そのダンボール板Ｐは、その中央部に長方形状の底板１を有し、この底板１の相対向する前、後辺には折り線Ｂ２，Ｂ３を介して前側板２および後側板３がそれぞれ接続される。
【００１８】
前記前側板２の左、右辺には、折り線Ｂ４，Ｂ４を介して左、右内側板４，４がそれぞれ接続される。左、右内側板４，４の前辺にはＢ４ａ，Ｂ４ａを介して短冊状のフラップ４ａ，４ａが接続される。
【００１９】
前側板２の前辺には、底板１と同じ前蓋板８が折り線Ｂ８を介して接続される。
【００２０】
前記後側板３の左、右辺には、折り線Ｂ５，Ｂ５を介して前記左、右内側板４，４と同じ左、右外側板５，５が接続される。また左、右内側板５，５の前辺には折り線Ｂ７，Ｂ７を介して左、右内底板７，７が接続される。これらの内底板７，７は、ダンボール箱Ａ１の組立時に底板１上に左、右に並んで重ね合わされように、底板１の略１／２の大きさにそれぞれ形成される。
【００２１】
後側板３の後辺には、折線Ｂ９を介して後蓋板９が接続され、この後蓋板９は、前記前蓋板８と同じ大きさに形成され、これらの前、後蓋板８，９は、後述するようにダンボール箱Ａ１を手提げ箱Ａ２として使う場合に、その一部同士が重ね合わされてグリップＧとなる（図４参照）。
【００２２】
左、右外側板５，５の後辺には、折り線Ｂ５ｂ，Ｂ５ｂを介して前記左、右フラップ４ａ，４ａと同じ左、右フラップ５ａ，５ａが接続される。
【００２３】
前記左、右内側板４，４および前記左、右外側板５，５には、長孔１０がそれぞれ開口され、それらの外側板５，５の各長孔１０は、ダンボール箱Ａ１の組立時に一致して、人が指を差し込んで把持し得る把手孔（図１参照）となる。
【００２４】
後側板３と後蓋板９間の折り線Ｂ９の中央部には、スリット状の差込孔１１が開口され、また前記前蓋板８の外縁の中央部には、その差込孔１１に抜差自在に差し込まれる差込舌片１２が外側に向けて一体に形成される。さらに、差込孔１１の中央部には、これを横切るように、折り込み可能なロック片１３が設けられ、また、差込舌片１２の折線基部中央部には、前記ロック片１３の差し込まれるロック孔１４が設けられる。
【００２５】
前、後蓋板８，９の外側半部８ａ，９ａの左右方向の中央部には、手提げ孔１５，１５が対照的に開口されており、これらの手提げ孔１５，１５の一辺には、その手提げ孔１５，１５を開閉する開閉片１６，１６が設けられる。
【００２６】
前、後蓋板８，９には、それらの前後方向（高さ方向）の中間部に、折線Ｂ８，Ｂ９と平行な折線１７，１７が入れられており、蓋板８，９は、その折線１７，１７に沿って外側に折り込めるようにされる。
【００２７】
つぎに、図７〜１０を参照して、展開状態のダンボール板Ｐから、ダンボール箱を組み立てる手順について説明する。
【００２８】
(1) まず、展開状態のダンボール板Ｐを設置面上に置いたのち、図８に示すように、後側板３を折り線Ｂ３に沿って直角に上方に折り曲げ、また、左、右内底板７，７を内側に折り線Ｂ７，Ｂ７に沿って直角に折り曲げ、左、右外側板５，５を折り線Ｂ５，Ｂ５に沿って内側すなわち底板１側に直角に折り曲げる。このとき後側板３に接続される後蓋板９は起立状態となる。
【００２９】
(2) 前記(1) の折り曲げにより、図９に示すように、左、右内底板７，７は、底板１上に重ね合わされて２重底となり、また底板１の三方、すなわち左、右辺および後辺は、起立した左、右外側板５，５および後側板３により囲まれる。これにより、ダンボール箱は、その前面および上面がいずれも開放状態となって、その前面および上面のいずれの側からもダンボール箱の２重底の底板１内へ収納物Ｏの出入れを行なうことができる。
【００３０】
(3) つぎに、図１０に示すように、左、右内側板４，４を折り線Ｂ４，Ｂ４に沿って内側に直角に折り曲げて、これらを起立した左、右外側板５，５の内側に差し込みながら前側板２を前蓋板８と共に折り線Ｂ２に沿って直角に折り曲げれば、その左、右側板は、内、外側板４，５により２重側板となり、また長孔１０，１０は一致して、人が把持し得る把手孔となり、ダンボール箱Ａ１の前面を閉じることができる。
【００３１】
(4) フラップ４ａ，４ａおよびフラップ５ａ，５ａをそれぞれ折り線Ｂ４ａ，Ｂ４ａおよびＢ５ａ，Ｂ５ａに沿って内側に折り曲げたのち、後蓋板９を折り線Ｂ９に沿って内側に折り曲げ、さらに、その上に前蓋板８を折り線Ｂ８に沿って内側に折り曲げれば、ダンボール箱Ａ１の開放上面は、図１に示すように、互いに重なり合う２枚の前蓋板８と後蓋板９により閉じられる。差込舌片１２を、差込孔１１に差し込み、さらにロック片１３をロック孔１４に差し込めば、図１に示すように、前、後蓋板８，９は、閉じ位置にロックされ、ダンボール箱Ａ１の組み立てが終了する。前、後蓋板８，９にそれぞれ開口した手提げ孔１５，１５は互いにずれた位置にあって、前、後蓋板８、９で塞がれているので、箱内に塵埃などが入ることはない。
【００３２】
また、前記ダンボールＡ１を、手提げ箱Ａ２とする場合には、
(5) 前記図１０の状態から２枚の前、後蓋板８，９を折り線Ｂ８，Ｂ９の沿って途中（直角未満）まで折り曲げ（図５参照）、それらの前蓋板８，９自体を、折り線１７，１７に沿って外側に折り曲げると、図４，５に示すように、前、後蓋板８，９の外側半部８ａ，８ａは互いに重なり合ってあって、上下方向の延びるグリップＧが形成され、また、それらの内側半部８ｂ，８ｂは、傾斜して手提げ箱Ａ２の開口上面を覆う。差込舌片１２は、重なり合っている内側半部８ｂ，８ｂの上縁を跨ぐように折り曲げられる。そして、手提げ孔１５，１５は互いに一致する。このとき、開閉片１６，１６は開き位置に折り曲げられて、図５に示すように、手提げ孔１５，１５が開口されると共にその手提げ孔１５，１５の上方エッジが開閉片１６，１６により覆われて丸みが付けられるので、手提げ孔１５，１５に指を通して手提げ箱Ａ２を持ち上げるとき、指を傷めない。
【００３３】
以上のように、手提げ箱兼用ダンボール箱は、通常のダンボール箱として使用できるほか、手提げ箱として使用することができる。そして、この手提げ箱兼用ダンボール箱は一枚のダンボール板よりテープ、接着剤、ファスナなどを必要することなく、組立、解体がきわめて簡単、容易であり、しかも強度の要求される左、右側板、底板および蓋板をいずれも２重板とし、簡単な構造でありながら箱として必要を強度を保有させることができ、さらに収納物の出入れが容易であり、特に、底板を２重底としたまま、前面および上面の２面を開放して収納物の出入れを行なうことができる。さらに解体によって素材を傷つけたり、損傷したりすることがないので、再利用が可能である。また、組み立て後に底板に切目ができることがなく、その切目を封緘するためのテープなどの止め手段が不要である。さらに、前面および上面を開放して前方および上方の２方向から２重底の底板上に物を載せることができ、箱の強度を確保しながら物の出入れが容易である。
【００３４】
また、手提げ箱とし使用するときは、２枚の前、後蓋板によりグリップを形成できるので、使用者は、そのグリップの手提げ孔に指を通して片手で持ち運びすることができ、また、手提げ箱を持ち上げ、あるいは地上に置くとき、前、後蓋板の傾斜した内側半部は、グリップの上方移動あるいは下降移動に追従して上下に変移するので、手提げ箱を持ち上げるとき、あるいは地上の下ろすとき、クッション作用を与えることができ、たとえば、手提げ箱を咄嗟に持ち上げるときに、手提げ箱や使用者にショックを与えることがない。また，手提げ孔の上縁のエッジは、開閉片の折り曲げ部で丸みが付けられる（図５参照）ので、使用者の指を傷めない。
【００３５】
以上、本考案の実施例について説明したが、本考案はその実施例に限定されることなく、本考案の範囲内で種々の実施例が可能である。
【図面の簡単な説明】
【００３６】
【図１】ダンボール箱の組み立て完了状態の一部破断斜視図
【図２】図１の２−２線に沿う断面図
【図３】図１の３−３線に沿う断面図
【図４】ダンボール箱を手提げ箱としたときの一部破断斜視図
【図５】図４の５−５線に沿う断面図
【図６】図４の６−６線に沿う断面図
【図７】組立式ダンボール箱の組立手順を示す斜視図
【図８】ダンボール箱の組立手順を示す斜視図
【図９】ダンボール箱の組立手順を示す斜視図
【図１０】ダンボール箱の組立手順を示す斜視図
【図１１】手提げ箱の組立過程を示す斜視図
【符号の説明】
【００３７】
１・・・・・・・・・底板
２・・・・・・・・・前側板
３・・・・・・・・・後側板
４・・・・・・・・・内側板
５・・・・・・・・・外側板
７・・・・・・・・・底板（内底板）
８・・・・・・・・・前蓋板
８ａ・・・・・・・・外側半部
８ｂ・・・・・・・・内側半部
９・・・・・・・・・後蓋板
９ａ・・・・・・・・外側半部
９ｂ・・・・・・・・内側半部
１５・・・・・・・・・手提げ孔  
１６・・・・・・・・・開閉片
１７・・・・・・・・・折り線
Ｇ・・・・・・・・・グリップ
Ｐ・・・・・・・・・ダンボール板
Ａ１・・・・・・・・・ダンボール箱
Ａ２・・・・・・・・・手提げ箱
【図１】
0003141026.tif 000003
【図２】
0003141026.tif 000004
【図３】
0003141026.tif 000005
【図４】
0003141026.tif 000006
【図５】
0003141026.tif 000007
【図６】
0003141026.tif 000008
【図７】
0003141026.tif 000009
【図８】
0003141026.tif 000010
【図９】
0003141026.tif 000011
【図１０】
0003141026.tif 000012
【図１１】
0003141026.tif 000013